(57)【要約】      （修正有）【課題】制御基板のＲＯＭ（記憶素子）に対する不正行為をより確実に防止可能な基板ケースを提供する。【解決手段】ベース部材３１とカバー部材３２が嵌合された透明な基板ケースの内部にＲＯＭ９０を着脱可能に実装された制御基板３７を収納し構成される長方形箱状の基板ケースで基板ケースの互いに対向する二つの長辺は長手方向にスライド方式にて係合されたＬ字型係合部分と接着剤にて接着している接着部で形成されている。基板ケースの上辺には封止ピン３４、長手方向スライド時に係る係止部、係合部を設けている。基板ケースの下辺には係合部材を介してベース部材とカバー部材の係合がなされており長手方向にスライドさせることにより係合されるため、スライド方向と直交する方向には不正な外力を加えてケースに隙間を開けることができなくなる。またベース部材とカバー部材はスライド方向と直交する方向からの封止ピン嵌入と接着されている。【選択図】図４
2016043220.tif 000002
【特許請求の範囲】
【請求項１】
ベース部材とカバー部材が嵌合されて形成される透明な基板ケースの内部に、ＲＯＭを着脱可能に実装された制御基板を収納し構成される長方形で箱状の基板ケースであり、前記ベース部材の互いに対向する二つのそれぞれの辺に、前記カバー部材のＬ字型係合爪に対応した複数の係合部と長方形の器状の接着剤または紫外線硬化樹脂の収容部を複数有し、前記カバー部材には互いに対向する二つのそれぞれの辺に複数のＬ字型係合爪と複数の接着突起部が設けられ、前記ベース部材と前記カバー部材がＬ字型係合爪による係合と収容部と接着突起部を接着剤または紫外線硬化樹脂にて固着されたものであり、接着部分は前記カバー部材で蓋を閉じられ、外部から接着部分に触れることができないことを特徴とする基板ケース。
【請求項２】
前記ベース部材の接着剤または紫外線硬化樹脂の収容部に複数の凹み部と収容部の縁から内方に延びる通気路が形成され、前記カバー部材の接着剤または紫外線硬化樹脂が接着される接着突起部には複数の凹み部と当該接着突起部の片端にスキージ部分が形成されたことを特徴とする請求項１に記載の基板ケース。
【発明の詳細な説明】
【技術分野】
【０００１】  本発明はパチンコやスロットマシン等の遊技機に使用される制御基板を収納する基板ケース及び基板ケースの封止方法に関するものである。
【背景技術】
【０００２】  従来から、スロットマシン等の遊技機は、遊技を行うのに必要なリール等の遊技装置、遊技装置の動作を制御する制御回路を有するメイン制御装置、遊技の演出を行う電飾表示等の演出動作を制御する制御回路を有するサブ制御装置、及び、遊技装置及び制御基板に電力を供給する電源装置等を備えたものとなっている。このうち、メイン制御装置及びサブ制御装置等の制御装置は、遊技動作を制御するプログラムを記録したＲＯＭ（記憶素子）、及び、高速演算機能を有するＬＳＩ等からなるＣＰＵ等のハードウェアを備え、ＲＯＭに記憶されたプログラム等のソフトウェアをＣＰＵで実行することで制御を行うものとなっている。このため、メダル等の遊技媒体を容易に獲得することができる不正なプログラムが書き込まれたＲＯＭに交換されると、その内容を知りうるものが意図的に多量の遊技媒体を不正に獲得できてしまう。【０００３】  このような不正行為を防止するために、制御装置の主要部である制御回路が形成された制御基板を収納する箱状の基板ケースを設け、内部に制御基板を入れて閉じた基板ケースを封止ピンや封止ラベル等で封止するようにしているが、封止ピンに穴を開ける等で封止ピンを破壊し、基板ケースを不正に開放しＲＯＭを不正なプログラムが書き込まれたＲＯＭに交換され、別の機械から不正に取り出された封止ピンを装着し痕跡を残さずＲＯＭ交換がなされてしまうこともある。【０００４】  前述のような基板ケースでは、痕跡なく不正なＲＯＭを装着できることから、特許文献１のように基板ケースの封止部分と封止ピンを硬化樹脂で硬化させ、破壊しにくく、破壊できたとしても痕跡が残り、基板ケースの不正開放を確実に発見できるようにした遊技機が知られている。
【先行技術文献】
【特許文献】
【０００５】
【特許文献１】特開２０１０−１１０５６５号公報
【発明の概要】
【発明が解決しようとする課題】
【０００６】  しかしながら、基板ケースに不正な外力が加えられて基板ケースを構成するベース部材とカバー部材の間に隙間が形成され、この隙間から制御基板のＲＯＭに不正にアクセスされ不正なものと交換される恐れがある。【０００７】  本発明は、このような課題を解決したものであり、制御基板のＲＯＭに対する不正行為をより確実に防止可能な基板ケースを提供することを目的とする。
【課題を解決するための手段】
【０００８】  このような目的を達成するために、本発明に係る基板ケースはベース部材とカバー部材が嵌合された透明な基板ケースの内部にＲＯＭを着脱可能に実装された制御基板を収納し構成される長方形で箱状の基板ケースである。基板ケースの互いに対向する二つの長辺は長手方向にスライド方式にて係合されたＬ字型係合部分と接着剤にて接着している接着部で形成されている。基板ケースの上辺には封止ピン、長手方向スライド時に係る係止部、係合部を設けている。基板ケースの下辺には係合部材を介してベース部材とカバー部材の係合がなされており長手方向にスライドさせることにより係合されるため、スライド方向と直交する方向には不正な外力を加えてケースに隙間を開けることができなくなる。またベース部材とカバー部材はスライド方向と直交する方向からの封止ピン嵌入と接着されているために、接着剤硬化後はケースを長手方向にスライドができなくなる。よって基板ケースの四辺全周が封止されているため、不正な外力を加えられてもベース部材とカバー部材の組み合わせ部分に隙間を開けることができない構造を特徴としている。【０００９】  ケース部材とカバー部材が嵌合された状態では、接着部分が蓋を閉じたようになり、外部からは接着剤に触れることができない。接着層をカッターナイフなど鋭利な刃物等で切断し、カバー部材を逆方向へスライドさせることができない。また接着部分の近傍よりマイナスドライバーで抉る等するとカバー部材の薄肉部が変形または破壊され痕跡が残ることになる。また、薄肉部が破損するぐらいの外力となると接着剤が剥離していく。剥離に近づくと接着剤が白化するので痕跡となる。なお、接着剤が白化したとしてもＬ字型係合部分で突っ張りベース部材とカバー部材の組み合わせ部分に隙間が開くことはない。よってＲＯＭを不正なものに交換されることはない。【００１０】  何らかの方法で接着剤を除去される等、不測の事態に備えて、ベース部材とカバー部材を封止ピンにてカバー部材のスライド方向と直交する方向から係止する。これも不正防止には有用となる。【００１１】  このように様々な手法を用いることで不正にアクセスされ、不正なＲＯＭに交換されることがないように従来の課題が解決されている。
【発明の効果】
【００１２】  本発明によれば、制御基板のＲＯＭに対する不正行為をより確実に防止することが可能である。
【図面の簡単な説明】
【００１３】
【図１】本発明の一実施形態に係る遊技機の斜視図である。
【図２】同じく遊技機の扉が開かれた状態における斜視図である。
【図３】基板ケース、取り付けプレートの斜視図である。
【図４】基板ケースの分解斜視図である。
【図５】ベース部材の斜視図である。
【図６】（Ａ）はカバー部材の正面図、（Ｂ）はカバー部材の裏面図である。
【図７】カバー部材にサブ制御基板と係合部材が取り付いた図面である。
【図８】図３のＣ−Ｃ線における断面図である。（Ｃａ）はベース部材とカバー部材を突き合わせた状態の図である。（Ｃｂ）はカバー部材をスライドさせＬ字型係合爪を係合させた状態の図である。（Ｃｃ）は接着突起部の詳細図である。
【図９】図３のＤ−Ｄ線における断面図である。（Ｄａ）はベース部材の収容部に接着剤を塗布した状態の図である。（Ｄｂ）はベース部材とカバー部材を突き合わせた状態の図である。
【図１０】図３のＥ−Ｅ線における断面図である。
【図１１】基板ケースの上面図で封止解除方法を示す図である。
【図１２】基板ケースの正面図で封止解除方法を示す図である。
【図１３】図１２のＦ−Ｆ線における断面図で封止解除方法を示す図である。
【発明を実施するための最良の形態】
【００１４】    以下、本発明を実施するための最良の形態である実施形態を図面に基づいて説明する。【００１５】  図１〜図１３は、本発明に係る遊技機用基板ケース（以下、単に「基板ケース」という）およびこの基板ケースが内部に組み込まれた遊技機の一実施形態を示している。図１、図２は、本発明に係る遊技機１の例としてスロットマシンを示している。この遊技機１は、筺体２と、この筺体２に開閉自在に取り付けられた前扉３を有する。【００１６】  図１に示すように、前扉３の表側の中間部分には、筺体２の内側に設けられた３個のリール５ａ、５ｂ、５ｃを表示するための表示部６が設けられている。前扉３の表側の中央部には、リール５ａ、５ｂ、５ｃを始動させるレバー８、リール５ａ、５ｂ、５ｃを停止させる停止スイッチ９、電子データ形式で貯留されたクレジットメダルからゲームへの賭けメダルを設定するためのベットスイッチ１０、クレジットメダルを精算するための精算スイッチ１１、メダル投入口１２等が設けられている。前扉３の表側の下部には、メダル払出口１３や払い出されたメダルを受けるメダル受け皿１４が設けられている。【００１７】  図２に示すように、筺体２の内側には、メダル払出装置１５、３個のリール５ａ、５ｂ、５ｃを駆動するリールユニット５、電源装置１６、遊技の進行を制御する主制御基板１７、ランプ類の発光演出、効果音などの音響演出などの遊技動作を制御するサブ制御基板３７等が設けられている。【００１８】  主制御基板１７はＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等、種々の電子部品を備えた回路基板であり、ＣＰＵがＲＯＭに記憶されたプログラムを読み込むことで遊技を制御するメイン制御装置として機能する。【００１９】  サブ制御基板３７にもＣＰＵ、ＲＯＭ、ＲＡＭ等の電子部品が実装されており、主制御基板１７のからの入力信号に基づき、ＣＰＵがＲＯＭに記憶されたプログラムを読み込むことで、遊技動作を制御するためのサブ制御装置として機能する。【００２０】  主制御基板１７は、リールユニット５の上方に設けられている。この主制御基板１７は、サブ制御基板３７や、他の基板、あるいは他の部品とハーネスを介して接続するためのコネクタ等を備えている。【００２１】  主制御基板１７には、レバー８、停止スイッチ９、ベットスイッチ１０等の操作による信号が入力される。これらの信号は、前扉３の裏側に設けられた扉中継基板２３を介して主制御基板１７に送信される。主制御基板１７は、これらの信号を取り込みながら、リールユニット５、メダル払出装置１５等を制御して、遊技の進行を制御するようになっている。【００２２】  この遊技機１は、遊技者が所定の枚数のメダルを賭け、レバー８を操作してリール５ａ、５ｂ、５ｃを回転させ、停止スイッチ９を順次押してリール５ａ、５ｂ、５ｃを停止させることができ、リール５ａ、５ｂ、５ｃに記載された図柄がそろったときに、図柄に応じたメダルの払い出しがなされるようになっている。【００２３】  この遊技動作を実現するために、遊技機１側の制御としては、遊技者の操作に応じてメダルの賭け枚数��の表示を行うとともに、図柄の揃った状態（以下、「入賞状態」という）を判定するために表示部６に設定される有効ラインを設定する。そして、レバー８の操作入力を検知したことに伴って抽選を行い、同時にリール５ａ、５ｂ、５ｃを一斉に回転させる。【００２４】  続いて、停止スイッチ９の操作入力の検出に応じて、順次対応するリール５ａ、５ｂ、５ｃを停止させる。停止時には各リール５ａ、５ｂ、５ｃに対して、レバー８の操作入力と同時に行った抽選の当否結果に基づいて、停止スイッチ９の操作入力を検出したタイミングから所定駒数の範囲内で停止するように制御する。【００２５】  そして、停止させたときのリール５ａ、５ｂ、５ｃの位置データに基づいて、設定した有効ライン上に入賞状態が成立しているかどうかを判定して、成立している場合には、メダル払出装置１５を駆動して、入賞状態に応じたメダルを払い出す制御を行うか、またはクレジットとして加算される。【００２６】  これらの制御は、主制御基板１７上のＣＰＵが、種々の信号を取り込み、ＲＯＭに書き込まれたプログラムに基づいてサブ制御基板３７や各機器に向かって指令信号を発生することにより実現される。【００２７】  次にサブ制御基板３７を覆う基板ケース２５について詳述する。図３〜図１３に示すように、基板ケース２５はベース部材３１、カバー部材３２、係合部材３３、封止ピン３４で構成されたケース内部にＲＯＭ９０、コネクタなどの電子部品を実装したサブ制御基板３７、当該サブ制御基板３７のコネクタ８８に嵌合されたハーネス３８の片端が収納されたものであり、ベース部材３１とカバー部材３２の必要箇所には接着剤にて接着がなされている。【００２８】  基板ケース２５は、木工製の筐体左側内壁面に配置されている金属製で正面視においてほぼ長方形状に形成された取り付けプレート３６に取り付けられている。（図３を参照）取り付けの詳細を説明すると、基板ケース２５は、カバー部材３２の互いに対向する２つの短辺のうち、下方の短辺には外方に延出する係合突起部７１が形成され、この係合突起部７１は取り付けプレート３６の対応する個所に設けたスリット９６内に挿通され、上方の短辺には取り付け用の固定穴４８があり、取り付けプレート３６のネジ穴９７にネジにて締結される。【００２９】  ベース部材３１及びカバー部材３２は、共に透明なポリカーボネイト樹脂などの非導電性の樹脂からなっており、内部に収納されるサブ制御基板３７、当該サブ制御基板３７に装着されたＲＯＭ９０を外側から目視で確認できるようになっている。【００３０】  ベース部材３１及びカバー部材３２は正面視においてはほぼ長方形状に形成されている図５に示すように、ベース部材３１の互いに対向する二つの長辺には係合部４６が長辺両端と中間部分にあり、それぞれの係合部４６の間には接着剤の収容部４７が形成されている。収容部４７は長方形の器のようになっており、液状のものを溜めることができる形状である。収容部４７の縁には接着剤の逃げとしての段落とし部５６と接着剤の硬化を促す通気口としての通気路５７を設けている。当該ベース部材３１の互いに対向する二つの短辺のうち上方の辺には取り付けプレート３６への固定穴４８、封止ピン係止部穴４９、上方の辺端部には係止穴５０、係合スリット５１があり、封止ラベル貼付部５８が覆い被さるように形成されている。当該ベース部材３１の互いに対向する二つの短辺のうち下方の辺には挿通穴５２、両端には長円形状の凹みからなる係止穴５３が形成されている。またベース部材３１正面視における中央部付近には長方形の突部５９が形成されている。【００３１】  ベース部材３１との嵌合部品であるカバー部材３２は正面視においては、ほぼ長方形状に形成されている。図６、図７に示すようにカバー部材の裏面に、互いに対向する二つの長辺にはＬ字型係合爪６６が長辺両端と中間部分にあり、それぞれのＬ字型係合爪６６の間には接着部分である接着突起部６７が形成され、この接着突起部６７は複数の凹み部７４と当該接着突起部６７の片端にスキージ部分７３が形成されている。また、ベース部材３１の側面を覆うような壁面８３が形成されている。当該カバー部材３２の互いに対向する二つの短辺のうち上方の辺には封止ピン係止部穴６８、外方に延出する係止爪６９、係合突起部７０、互いに対向する二つの短辺のうち下方の辺には外方に延出する係合突起部７１、両端には係止突起部７２が形成されている。正面視上方にはサブ制御基板３７のコネクタ８８（図４参照）に覆い被さるようにコネクタカバー部７７が突出し、突出した形状の先端には押さえ穴８２が形成される。また、複数の開口部７６が形成されており、この開口部７６からサブ制御基板３７に設けられたコネクタや他電子部品が外側に露出するようになっている。また開口部７６の内面周囲から延出するリブ８４はサブ制御基板３７に直交するように形成されている。同じく内面中央よりやや上方には、サブ制御基板３７のＲＯＭ９０を囲んで覆うような突部７８が制御基板３７に直交するように形成されている。【００３２】  図７に示すように、カバー部材３２の内面には、係合部材３３と複数のコネクタや他電子部品が実装されたサブ制御基板３７が固定される。係合部材３３は、透明なポリカーボネイト樹脂などの非導電性の樹脂からなっており、固定用穴と３つの係合突起部８６から形成されている。【００３３】  サブ制御基板３７はＲＯＭ９０と主制御基板１７との通信を行うハーネス３８が装着されており、図９に示すようにＲＯＭ９０は、カバー部材３２の内面から垂直に延出した突部７８がサブ制御基板３７のＲＯＭ９０の周囲を囲むように当接され、図１０に示すようにハーネス３８の片端はコネクタ８８に嵌合された状態でコネクタカバー部７７が覆い被さり、コネクタ８８の係止爪に触ることができなくなりハーネス３８の片端は取り外し不可能となる。コネクタカバー部７７の突出面には押さえ穴８２が複数個開いており、ハーネス３８とコネクタ８８の嵌合不足による接触不良がある際には当該押さえ穴８２に挿通する径の丸形状等の棒材で嵌合部分を押さえ、接触不良を回避できるように考慮がなされている。【００３４】  同じくカバー部材３２には、開口部７６の内面周囲から垂直に延出するリブ８４と中央部付近に形成される突部７８がサブ制御基板３７の部品実装面に当接する。当接することにより開口部７６からの異物挿入を阻止でき、突部７８がサブ制御基板３７に当接することにより２重���防御となる。（図９（Ｄａ）（Ｄｂ）参照）【００３５】  また、ベース部材３１の突部５９を設けることによりサブ制御基板３７のたわみを抑制することが可能となり、万が一、異物挿入がなされた場合でもＲＯＭ９０を取り出せる空間がないため、サブ制御基板３７に実装されているＲＯＭ９０を不正なものに交換されることはない。（図９（Ｄｂ）参照）【００３６】  ベース部材３１とカバー部材３２とを嵌合し、封止する際には、ベース部材３１の収容部４７の所定部分に所定量の接着剤を塗布し、図８（Ｃａ）に示すようにベース部材３１の係合爪収容部５４の底面とカバー部材３２のＬ字型係合爪６６とを突き合わせる。【００３７】  ベース部材３１の係合爪収容部５４にカバー部材３２のＬ字型係合爪６６を突き合わせた際に、収容部４７に流し込まれた接着剤８９は、接着突起部６７に押さえられ収容部４７と突起部６７の微小な空間を接着剤８９で埋め尽くした状態となる（図９（Ｄａ）（Ｄｂ）参照）。【００３８】  カバー部材３２を長手方向にスライドさせると同時にベース部材３１の係合部４６とカバー部材３２のＬ字型係合爪６６が係合される。Ｌ字型係合爪６６が係合された状態ではスライド方向と直交する方向には離脱不能となっている。（図８（Ｃｂ）参照）【００３９】  カバー部材３２の接着突起部６７の端部にあるスキージ部分７３は長手方向にスライドさせた際に接着剤を接着と無関係な空間に接着剤を漏らすことなく接着させたい部分を確実に無駄なく接着できるように接着剤を誘導する目的もある。誘導された接着剤は収納部４７の縁部である段落とし部５６の手前まで行き渡たる。また接着突起部６７の各箇所には凹み部７４が複数あり、カバー部材３２スライド時に凹み部７４に確実に接着剤が潜り込み、凹みがある分、接着面積が増し、ベース部材３１とカバー部材３２をより強固に接着することができる。接着剤硬化後は組み立て時と逆方向にスライドさせることができない。また、ベース部材３１にもカバー部材３２と同様に、収容部４７に凹み部５５が複数あり、前述のようにスライド方向の接着力を増すことに寄与している。【００４０】  接着強度を増すにはベース部材３１の収容部４７とカバー部材３２の接着突起部６７の深さを大きくする。または、ベース部材３１の収容部４７とカバー部材３２の接着突起部６７の幅を大きくすることで更に接着面積は増加し、接着強度は増し強固となっていく。【００４１】  なお、接着剤は透明で、空気中の湿気と反応し、所定時間報知することで硬化する一液性湿気硬化型の弾性接着剤で溶剤が含まれていないものとしている。接着剤硬化時にガス発生しにくくベース部材３１、カバー部材３２が白化することがなく、基板ケースを抉る等の外力を加えた際の接着剤剥離による白化と区別がしやすいものとなっている。本発明では、一液性湿気硬化型の弾性接着剤を採用しているが、紫外線を照射することによって硬化する紫外線硬化樹脂の採用をしてもよい。また色は無色透明であってもよいし、有色透明であってもよい。【００４２】  ベース部材３１の収容部４７の縁にある通気路５７を設けることにより、通気路５７から湿気を含んだ空気を取り込むことができる。ベース部材３１の収容部４７とカバー部材３２の接着突起部６７の微小な空間に追いやられた接着剤と空気中の湿気が反応し、接着剤の硬化を促進できる。【００４３】  ベース部材３１とカバー部材３２を長手方向へスライドさせた際に、互いの上辺にある係止穴５０に係止爪６９が弾性変形しながら嵌まり込み係止し、係合スリット５１に係合突起部７０を挿通させると同時に、封止ピン係止部穴４９と封止ピン係止部穴６８が重なり合うように嵌合する。また、互いの下辺にある挿通穴５２にはカバー部材３２に取り付いている係合部材３３の係合突起部８６を挿通させ係合させると同時に係止穴５３と係止突起部７２が係止することでベース部材３１とカバー部材３２が固定される。【００４４】  ベース部材３１とカバー部材３２が固定されることにより容易に逆方向にスライドさせることができない仮固定状態となる。当仮固定状態で接着剤が硬化することにより、ベース部材３１とカバー部材３２が接着剤で固着し、分離することが不可能となる。【００４５】  この状態で基板ケース２５の四辺それぞれに不正な外力で隙間が開くものではなくなり、なお且つ、接着剤のはたらきにより基板ケース２５をスライドして開封もできなくなっている。【００４６】  接着部分はカバー部材３２で蓋を閉じた状態となり、接着層を鋭利な刃物等で切断できないように、接着個所を触れない構造としている。接着部分の近傍よりマイナスドライバーで抉る等するとカバー部材３２の薄肉部８１が変形または破損し、痕跡が残るようになっている。【００４７】  次に封止ピン３４について説明する。封止ピンは互いに外向きに突出する一対の係止爪９１と係止爪９１を被覆するほぼ四角形の頭部９２を一体に備えた係止ピンである。ベース部材３１とカバー部材３２を長手方向にスライドさせた際に、互いの上辺に形成される封止ピン係止部穴４９と封止ピン係止部穴６８が重なり合うように嵌合させた状態で封止ピン３４をスライド方向と直交する方向から頭部９２を押し下げ、封止ピン係止部穴４９、６８の間に嵌入し係止する。封止ピン３４はその存在が視認しやすいように赤色の顔料を含む透明なポリカーボネイト樹脂などの非導電性の樹脂で形成される。【００４８】  何らかの方法で接着剤を除去された場合に備え、ベース部材３１に対してカバー部材３２の係合方向と逆方向にスライドできないようにする措置として封止ピン３４による係止は有効な手段となる。【００４９】  封止ピン３４を接着剤にて接着する場合は、封止ピン３４を係止する前に、ベース部材３１とカバー部材３２をスライドさせ嵌合し、カバー部材３２の連結部凹み部７９に所定量の接着剤を塗布した後に封止ピン３４を押し込み係止することや、封止ピン３４を押し込んで係止した後に封止ピン３４の頭部９２の周囲および頭部９２の天面に所定量の接着剤を流し込み硬化させることで、封止ピン３４が取り外すことが困難となるため、不正行為に対してはより良い手段となる。なお、接着剤は前述の透明な常温で所定時間報知することで硬化する一液性湿気硬化型の弾性接着剤を採用しても良いし、紫外線を照射することによって硬化する紫外線硬化樹脂の採用をしてもよい。また色は無色透明であってもよいし、有色透明であってもよい。【００５０】  さらに不正なＲＯＭへ��交換等の行為をなされなくするために、封止ラベル３５を採用できる。封止ラベル３５の表面には開封厳禁などの印刷がされ、裏面には粘着剤が塗布されており、ベース部材３１とカバー部材３２をまたぐように貼付するものであって図３に示すように、ベース部材３１とカバー部材３２の２つの面に沿うように貼付する。封止ラベル３５は剥がそうとすると破断する脆弱なラベルであってもよいし、剥がすと剥がしたラベルと被着物であるベース部材３１及び、カバー部材３２に開封済等の剥がした痕跡が残るラベルであってもよい。【００５１】  上記のように基板ケース２５に係止、係合、接着、封止ピンや封止ラベル等、様々な手法を用いて各個所を封止することにより、基板ケース２５が不正に開封されて、サブ制御基板３７に装着されるＲＯＭ９０が不正に改ざんしたものに交換されることを防止できる。【００５２】  サブ制御基板３７の故障等による基板交換が発生した際には、基板ケース２５の封止を解除する必要があり、できる限り開封をしやすくするための設計配慮がなされている。【００５３】  封止を解除するには、図１１に示すように、ベース部材３１の上辺にある封止ピン３４との連結部分収容部６０の破線部分をニッパーや超音波カッターなどの刃物で破断する。当該連結部分収容部６０を切断することで、図１３に示すようにベース部材３１、カバー部材３２、封止ピン３４の３部品が破壊されることになるため、当該３部品の再利用はできない。【００５４】  次にカバー部材３２の複数のＶ字溝８０（図６参照）を目印に、図１２に示す破線部分をニッパーや超音波カッターなどの刃物で切除すると、ベース部材３１とカバー部材３２との接着部分を切り離すことになり、当該ベース部材３１とカバー部材３２のそれぞれを組み立て嵌合時とは逆の方向にスライドし、分離させることによりサブ制御基板３７を取り出すことが可能となる。【００５５】  この封止の解除手段は基板交換などの保守を目的としたものであって、万が一、不正行為で上記のような封止解除方法で分解された際には接着部分が切り離されている為、基板ケース２５の形状が明らかに正規のものと違うと判別でき、不正行為がなされたことを発見できる。
【符号の説明】
【００５６】１遊技機  ２筐体  ３前扉
５リールユニット  ８レバー  ９停止スイッチ
１２メダル投入口  １４メダル受け皿  １５メダル払い出し装置
１６電源装置  １７主制御基板  ２５基板ケース
３１ベース部材  ３２カバー部材  ３３係合部材
３４封止ピン  ３５封止ラベル  ３７サブ制御基板
４６係合部  ４７収容部  ５０係止穴
５１係合スリット  ５２挿通穴  ５３係止穴
５４係合爪収納部  ５５凹み部  ５７通気路
６０連結部分収容部  ６６Ｌ字型係合爪  ６７接着突起部
６９係止爪  ７０係合突起部  ７１係合突起部
７２係止突起部  ７３スキージ部分  ７４凹み部
７６開口部  ７７コネクタカバー部  ７８突部
７９連結部凹み部  ８０Ｖ字溝  ８１薄肉部
８４リブ  ８６係合突起部  ８８コネクタ
８９接着剤  ９０ＲＯＭ
【図１】
2016043220.tif 000003
【図２】
2016043220.tif 000004
【図３】
2016043220.tif 000005
【図４】
2016043220.tif 000006
【図５】
2016043220.tif 000007
【図６】
2016043220.tif 000008
【図７】
2016043220.tif 000009
【図８】
2016043220.tif 000010
【図９】
2016043220.tif 000011
【図１０】
2016043220.tif 000012
【図１１】
2016043220.tif 000013
【図１２】
2016043220.tif 000014
【図１３】
2016043220.tif 000015